(57)【特許請求の範囲】
【請求項１】
柱を建て、下方で構築した梁躯体または梁・床躯体を柱に沿って上昇させ、所定の高さで柱と固定する構築工法において、柱は径の小さな鋼管をスライド自在に内蔵した多重鋼管による鞘管柱で、各鞘管柱は下端を底板で閉塞したもので、脚部に開閉可能な注入孔を設け、この注入孔を介して内部にコンクリートを圧入できるものとし、多重鋼管のうち最内側の鋼管の上端に揚重装置を設け、各鞘管柱が１節分であるとして、その長さに応じて施工できる階数分の梁鉄骨またはフロア部位を構築したならば、当該鞘管柱の脚部から内部にコンクリートを圧入して２節目の各鞘管柱をプッシュアップさせるように各鋼管の脚部からコンクリートを圧入し、その圧力で内蔵した鋼管を順次押し上げて伸長させ、梁躯体または梁・床躯体の引き上げを前記頂部の揚重装置で行うことを特徴とした構築工法。
【請求項２】
柱を建て、また、この柱に梁鉄骨の接合部鋼板を貫通孔を介して上昇できるようにセットし、接合部鋼板で接合した梁鉄骨をこの接合部鋼板部分を引き上げることで柱に沿って上昇させ、所定の高さで接合部鋼板と柱とを固定する構築工法において、柱は径の小さな鋼管をスライド自在に内蔵した多重鋼管による鞘管柱で、各鞘管柱は下端を底板で閉塞したもので、脚部に開閉可能な注入孔を設け、この注入孔を介して内部にコンクリートを圧入できるものとし、
多重鋼管のうち、最内側の鋼管の上端に揚重装置を設け、各鞘管柱が１節分であるとして、その長さに応じて施工できる階数分の梁鉄骨またはフロア部位を構築したならば、当該鞘管柱の脚部から内部にコンクリートを圧入して２節目の各鞘管柱をプッシュアップさせるように各鋼管の脚部からコンクリートを圧入し、その圧力で内蔵した鋼管を順次押し上げて伸長させ、接合部鋼板部分の引き上げを前記頂部の揚重装置で行うことを特徴とした構築工法。
【請求項３】
接合部鋼板で接合した梁鉄骨に床を施工してフロア部位とし、このフロア部位を接合部鋼板部分を引き上げることで柱に沿って上昇させる請求項１または請求項２記載の構築工法。
【請求項４】
接合部鋼板部分を所定の位置まで上昇させた後、引き上げに使用したテンションロッドはそのまま本設の構造材として利用する請求項１ないし請求項３のいずれかに記載の構築工法。
【発明の詳細な説明】
【０００１】
【発明の属する技術分野】
本発明は、鉄骨架構またはその他の架構による建築物の構築工法に関するものである。
【０００２】
【従来の技術】
鉄骨架構の構築工法の１つとしてリフトアップ施工法やプッシュアップ施工法が数多く提案・実施されていて、図12、図13に従来のリフトアップ施工法を示すと、リフトアップ支持躯体１を先に立ち上げ、このリフトアップ支持躯体１間でリフトアップする躯体２の全体を組立て、躯体２の全体をまとめてリフトアップするようにしている。
【０００３】
このリフトアップ施工法は、危険な鉄骨架構の高所組立て作業を主に地上での作業とすることができるため、作業効率が高い優れた施工法である。
【０００４】
しかし、前記従来のリフトアップ施工法は、リフトアップする躯体を地上で組立て、まとめてリフトアップを行っていたため、リフトアップ作業や装置が大掛かりなものとなり、また、リフトアップ前後で十分な躯体精度が要求される。
【０００５】
そこで、発明者は先にリフトアップまたはプッシュアップするのに、非常に軽微な装置で、簡便な施工ができるものとして、図14、図15に示すような構築工法を提案し、特願平8-17578 号（特開平9-209454号公報）として出願した。
【０００６】
これは、柱鉄骨３を建方し、貫通孔５を介して柱鉄骨３を貫通させる接合用鋼板６ａ，６ｂで梁鉄骨４を接合し、これに床７を施工したフロア部位10を地上で組立て、このフロア部位10を柱鉄骨３の上端に設けた揚重装置13で柱鉄骨３に沿って上昇させ、所定の高さで記接合部鋼板６ａ，６ｂと柱鉄骨３との隙間に楔を打って固定するものである。図中12は外壁である。
【０００７】
これによれば、建物の各フロア毎に地上で組立て、リフトアップ（またはプッシュアップ）できるため、建物全体をリフトアップする従来の方法に比べて非常に軽微な装置で施工が可能となる。
【０００８】
【発明が解決しようとする課題】
しかし、この特願平8-17578 号（特開平9-209454号公報）の構築工法では、必要階数分の柱鉄骨３のすべてを先行して建て、この柱鉄骨３の上端に設けた揚重装置13で接合部鋼板６ｂを吊り支することによりリフトアップ行うもので、柱鉄骨３は梁により架構となっていないので不安定で、また、これを複数節に分けて継ぎ足して建てることも困難である。
【０００９】
本発明の目的は前記従来例の不都合を解消し、リフトアップすることで、危険な鉄骨等の架構の高所組立て作業を地上での作業に代え、しかも施工は、非常に軽微な装置で、簡便にできるとともに、柱の頂部に設ける揚重装置を盛り変えずに使用可能としたままで柱を簡単に伸ばすことができるので、柱の伸長とリフトアップとを対応させた安定した架構の組立てが可能な構築工法を提供することにある。
【００１０】
本発明は前記目的を達成するため、第１に、柱を建て、下方で構築した梁躯体または梁・床躯体を柱に沿って上昇させ、所定の高さで柱と固定する構築工法において、柱は径の小さな鋼管をスライド自在に内蔵した多重鋼管による鞘管柱で、各鞘管柱は下端を底板で閉塞したもので、脚部に開閉可能な注入孔を設け、この注入孔を介して内部にコンクリートを圧入できるものとし、多重鋼管のうち最内側の鋼管の上端に揚重装置を設け、各鞘管柱が１節分であるとして、その長さに応じて施工できる階数分の梁鉄骨またはフロア部位を構築したならば、当該鞘管柱の脚部から内部にコンクリートを圧入して２節目の各鞘管柱をプッシュアップさせるように各鋼管の脚部からコンクリートを圧入し、その圧力で内蔵した鋼管を順次押し上げて伸長させ、梁躯体または梁・床躯体の引き上げを前記頂部の揚重装置で行うこと、または、柱を建て、また、この柱に梁鉄骨の接合部鋼板を貫通孔を介して上昇できるようにセットし、接合部鋼板で接合した梁鉄骨をこの接合部鋼板部分を引き上げることで柱に沿って上昇させ、所定の高さで接合部鋼板と柱とを固定する構築工法において、柱は径の小さな鋼管をスライド自在に内蔵した多重鋼管による鞘管柱で、各鞘管柱は下端を底板で閉塞したもので、脚部に開閉可能な注入孔を設け、この注入孔を介して内部にコンクリートを圧入できるものとし、多重鋼管のうち、最内側の鋼管の上端に揚重装置を設け、各鞘管柱が１節分であるとして、その長さに応じて施工できる階数分の梁鉄骨またはフロア部位を構築したならば、当該鞘管柱の脚部から内部にコンクリートを圧入して２節目の各鞘管柱をプッシュアップさせるように各鋼管の脚部からコンクリートを圧入し、その圧力で内蔵した鋼管を順次押し上げて伸長させ、接合部鋼板部分の引き上げを前記頂部の揚重装置で行うことを要旨とするものである。
【００１１】
第２に、接合部鋼板で接合した梁鉄骨に床を施工してフロア部位とし、このフロア部位を接合部鋼板部分を引き上げることで柱に沿って上昇させること、第３に、接合部鋼板部分を所定の位置まで上昇させた後、引き上げに使用したテンションロッドはそのまま本設の構造材として利用することを要旨とするものである。
【００１２】
請求項１または請求項２記載の本発明によれば、柱は各鋼管の脚部からコンクリートを圧入し、その圧力で内蔵した鋼管を順次押し上げて伸長させることで、当初から頂部に揚重装置を設けた状態でも適宜立ち上げていくことができ、伸長程度に応じて各節の段階でこの揚重装置で梁躯体または梁・床躯体を引き上げることが可能となる。
【００１３】
請求項３記載の本発明によれば、前記作用に加えて、リフトアップするのは床を施工してフロア部位としたものであり、建物の仕上・設備工事用の材料や資材も地上でフロアに置くだけでリフトアップされるため、建物上部用の材料や資材をクレーンで揚重する必要が無くなり、建設作業の大幅な効率化が図れる。
【００１４】
請求項４記載の本発明によれば、接合部鋼板で接合した梁鉄骨をこの接合部鋼板部分を引き上げることで所定の位置までリフトアップしたのち、接合部鋼板と柱とを固定する必要があるが、揚重に用いたテンションロッドをそのまま本設の構造材として利用することで、各階の重量はこのテンションロッドに負担させることができ、柱と接合部鋼板との結合は自重（鉛直荷重）は負担しなくて良く、地震力だけを伝達できればよい。このため、柱と接合部鋼板との結合はクサビによる接合や、所定の型枠鋼管を設置し隙間を高強度モルタルを充填するだけの簡易な接合で十分となる。
【００１５】
【発明の実施の形態】
以下、図面について本発明の実施の形態を詳細に説明する。図１は本発明の構築工法の１実施形態として工程を示す説明図で、鉄骨架構の場合である。図中11は柱で、これは図２、図３に示すようにやや径の小さな鋼管をスライド自在に内蔵した多重管構造による鞘管柱である。
【００１６】
各鞘管柱11１〜11３は下端を底板11ａで閉塞したもので、図示は省略するが脚部（根元部）に開閉可能な注入孔を設け、この注入孔を介して内部にコンクリート19を圧入できるものとする。
【００１７】
さらに、最内側の鋼管である鞘管柱11３の上端にジャッキなどの揚重装置13を設け、また、各鞘管柱11２，11３がその外側の鞘管柱11１，11２に対してスライドした際に双方を係止できるように建方調整ボルト14を挿入できるようにした。この柱11は円形に限らず、方形のものでもよい。
【００１８】
このような工場で内装鋼管を挿入した柱11を先行して建て、また、この柱11に梁鉄骨４の接合部鋼板６ａ，６ｂを貫通孔５を介して貫通させ、このような接合用鋼板６ａ，６ｂを予め立設する柱鉄骨３の根元部に必要とされるフロア数の組数分を積み重ねて載置しておく。（図１ａ）
【００１９】
前記接合部鋼板６ａ，６ｂは図４に示すように柱11が通る貫通孔５の他に、揚重装置13から垂下する揚重用のテンションロッド15を貫通させる貫通孔20を形成し、また、必要に応じてテンションロッド15に係止できるようにした。さらに、本実施形態では梁鉄骨４の上フランジ４ａ，下フランジ４ｂとのボルト止めのためのボルト孔８を周辺部から中央に向けて並べて設けている。
【００２０】
図１ａに示すように、テンションロッド15で第１番目の接合部鋼板６ａと接合部鋼板６ｂを適宜な間隔を開けて多少吊り上げ、上側に位置させる接合部鋼板６ａと下側に位置させる接合部鋼板６ｂとで梁鉄骨４端を挟み込み、梁鉄骨４の上フランジ４ａ，下フランジ４ｂを高力ボルトにより締結する。なお、このボルト締結の代わりに溶接接合することも考えられる。（図１ａ、図１ｂ参照）
【００２１】
このように接合部鋼板６ａ，６ｂで連続させ、また、図示は省略するが必要に応じて小梁を組み込んだ梁鉄骨４の上に床を施工して一階分のフロア部位10を地上で組立てる。床にはデッキプレートによるコンクリートスラブ等が適する。また、外壁を取り付けるようにしてもよい。
【００２２】
初めに施工するのは最上階の梁鉄骨４またはフロア部位10であり、このフロア部位10を柱11に沿って少し上昇させ、その下に同様にして次の下階の梁鉄骨４またはフロア部位10を順次施工していく。
【００２３】
鞘管柱11１が１節分であるとして、その長さに応じて施工できる階数分の梁鉄骨４またはフロア部位10を構築したならば、鞘管柱11１の脚部から内部にコンクリートを圧入して２節目の鞘管柱11２をプッシュアップさせる。（図１ｇ）
【００２４】
鞘管柱11１と鞘管柱11２は構造的に必要長さだけラップさせる重ね継手とし、ラップ後は隙間にモルタルを充填し、また、建方調整ボルト14で固定する。
【００２５】
この２節分の鞘管柱11２の伸長分に対してその長さに応じて施工できる階数分の梁鉄骨４またはフロア部位10を構築し、同様に鞘管柱11２の脚部から内部にコンクリートを圧入して３節目の鞘管柱11３をプッシュアップさせ（図１ｉ）、その長さに応じて施工できる階数分の梁鉄骨４またはフロア部位10を構築し、全層のリフトアップを完了する。（図１ｊ）
【００２６】
リフトアップを完了後、図５、図６に示すように各階の梁鉄骨４またはフロア部位10は所定の高さで前記貫通孔５での接合部鋼板６ａ，６ｂと柱11との隙間に楔９を下側から打って固定する。
【００２７】
または、図７〜図９に示すように所定の型枠鋼管16を前記貫通孔５に設置し、隙間を高強度モルタル17を充填して固定する。この型枠鋼管16は柱11よりも一回り大きな輪体を形成する分割体の湾曲板からなる。
【００２８】
なお、このように接合部鋼板６ａ，６ｂと柱11とを固定するまでは、各階の梁鉄骨４またはフロア部位10の自重の負担がテンションロッド15だけでは不十分な場合は、図10、図11に示すようにＰＣ（プレキャストコンクリート）板等による自重負担部材18を介在させて自重の一部をこの部材に負担させることもできる。
【００２９】
また、以上述べた実施形態は鉄骨架構の場合について述べたが、梁鉄骨４や接合部鋼板６ａ，６ｂでのフロア部位10の代わりに、コンクリート躯体による床躯体を柱11でリフトアップする場合についても本発明は適用できる。
【００３０】
【発明の効果】
以上述べたように本発明の構築工法は、リフトアップすることで、危険な架構の高所組立て作業を地上での作業に代えることができ、しかも施工は、非常に軽微な装置で、簡便にできるとともに、柱の頂部に設ける揚重装置を盛り変えずに使用可能としたままで柱を簡単に伸ばすことができるので、柱の伸長とリフトアップとを対応させた安定した架構の組立てが可能なものである。
【図面の簡単な説明】
【図１】  本発明の鉄骨架構の構築工法の１実施形態として工程を示す説明図である。
【図２】  本発明の鉄骨架構の構築工法で使用する柱の伸長状態を示す説明図である。
【図３】  本発明の鉄骨架構の構築工法で使用する柱の縦断側面図である。
【図４】  本発明の鉄骨架構の構築工法の１実施形態を示す要部の斜視図である。
【図５】  接合部鋼板と柱との固定の第１例を示す斜視図である。
【図６】  接合部鋼板と柱との固定の第１例を示す縦断側面図である。
【図７】  接合部鋼板と柱との固定の第２例を示す斜視図である。
【図８】  接合部鋼板と柱との固定の第２例を示す縦断側面図である。
【図９】  接合部鋼板と柱との固定の第２例を示す要部の縦断側面図である。
【図１０】  自重負担部材の設置例を示す斜視図である。
【図１１】  自重負担部材の設置例を示す縦断側面図である。
【図１２】  従来例でリフトアップ前の正面図である。
【図１３】  従来例でリフトアップ後の正面図である。
【図１４】  他の従来例でリフトアップ前の前段階の工程を示す正面図である。
【図１５】  他の従来例でリフトアップ前後の工程を示す正面図である。
【符号の説明】
１…リフトアップ支持躯体        ２…躯体
３…柱鉄骨                      ４…梁鉄骨
４ａ…上フランジ                ４ｂ…下フランジ
５…貫通孔                      ６ａ，６ｂ…接合部鋼板
７…床                          ８…ボルト孔
９…楔                          10…フロア部位
11…柱                          11ａ…底板
11１  〜11３  …鞘管柱              12…外壁
13…揚重装置                    14…建方調整ボルト
15…テンションロッド            16…型枠鋼管
17…高強度モルタル              18…自重負担部材
19…コンクリート                20…貫通孔
【図１】
0003884165.tif 000002
【図２】
0003884165.tif 000003
【図３】
0003884165.tif 000004
【図４】
0003884165.tif 000005
【図５】
0003884165.tif 000006
【図６】
0003884165.tif 000007
【図７】
0003884165.tif 000008
【図８】
0003884165.tif 000009
【図９】
0003884165.tif 000010
【図１０】
0003884165.tif 000011
【図１１】
0003884165.tif 000012
【図１２】
0003884165.tif 000013
【図１３】
0003884165.tif 000014
【図１４】
0003884165.tif 000015
【図１５】
0003884165.tif 000016